(57)【要約】【課題】タイルへの取付作業が容易であると共に、タイルが脱落しにくいタイル落下防止金具と、このタイル落下防止金具を介してタイルを壁面に取り付けた構造とを提供する。【解決手段】タイル落下防止金具１０は、タイル１の裏面に配置される裏面配置部１２と、該裏面配置部１２からタイル１の上縁よりも上方にまで延出した上方延出部１４と、タイル１の裏面に形成されたアリ溝２に対して不抜に係合可能な不抜係合部１８，１８とを有している。各不抜係合部１８は、裏面配置部１２の左右の側縁に沿って設けられている。不抜係合部１８の上辺は前方に向って上り勾配となっており、下辺は、前方に向って下り勾配となっている。ビス挿通孔１６を介して壁面４にビス８を螺じ込んで上方延出部１４を壁面４に固定することにより、タイル落下防止金具１０を介してタイル１が壁面４に係止される。【選択図】図１
2005139669.tif 000002
【特許請求の範囲】
【請求項１】
タイルの壁面からの落下を防止するためのタイル落下防止金具において、
タイル裏面に配置される裏面配置部と、
該裏面配置部から、タイル上縁よりも上方に延出する上方延出部と、
該上方延出部に設けられた留め付け部と、
該裏面配置部に設けられており、タイル裏面に設けられた凹部に対し不抜に係合する不抜係合部と、
を備えてなるタイル落下防止金具。
【請求項２】
請求項１において、該裏面配置部は上下方向に延在する帯状であり、
該裏面配置部の側縁から前方に向って前記不抜係合部が立設されていることを特徴とするタイル落下防止金具。
【請求項３】
請求項２において、タイル裏面の前記凹部はアリ溝であり、
前記不抜係合部は、上辺が前方に向って上り勾配となっており、下辺が前方に向って下り勾配となっていることを特徴とするタイル落下防止金具。
【請求項４】
請求項２又は３において、該不抜係合部は、該裏面配置部の左右の側縁からそれぞれ前方に向って立設されていることを特徴とするタイル落下防止金具。
【請求項５】
請求項１ないし４のいずれか１項において、前記裏面配置部は前記上方延出部よりも前方に位置していることを特徴とするタイル落下防止金具。
【請求項６】
請求項５において、該裏面配置部の下部から後方に向って突部が設けられていることを特徴とするタイル落下防止金具。
【請求項７】
請求項１ないし６のいずれか１項において、該裏面配置部は該不抜係合部よりも下方にまで延在していることを特徴とするタイル落下防止金具。
【請求項８】
請求項１ないし７のいずれか１項に記載のタイル落下防止金具を介してタイルが壁面に取り付けられたタイル取付構造。
【請求項９】
請求項８において、タイルが接着剤を介して壁面に接着されていることを特徴とするタイル取付構造。
【発明の詳細な説明】
【技術分野】
【０００１】
本発明は、タイルの壁面からの落下を防止するためのタイル落下防止金具と、このタイル落下防止金具を介してタイルを壁面に取り付けた構造とに関する。
【背景技術】
【０００２】
タイルを建築物の外壁等の壁面に取り付けた構造として、特開平９−１２５６４７号公報には、金属弾性線材よりなる剥落防止具の一端をタイルの裏面に弾性的に固着させると共に、他端を壁面にビス留めすることにより、該剥落防止具を介してタイルを壁面に係止した構造が記載されている。図８（ａ）は同号公報の剥落防止具を示す斜視図であり、図８（ｂ）はこの剥落防止具を介してタイルを壁面に取り付けた構造を示す縦断面図である。
【０００３】
図８（ａ）に示すように、同号公報の剥落防止具１００は、金属弾性線材よりなる線状部材であり、その一端側と他端側とに、それぞれ、該一端側を螺旋状（コイルばね状）に複数回巻回してなる巻回部１０２と、該他端側をリング状に巻回してなるビス係合用のフック部１０４とが設けられている。タイル１０６の裏面には、該巻回部１０２が挿入される挿入穴１０８が穿設されている。該巻回部１０２の外径（太さ）は、この挿入穴１０８の内径よりも大きいものとなっている。
【０００４】
この剥落防止具１００を用いてタイル１０６を壁面１１０に取り付けるに当っては、まず、巻回部１０２を弾性的に縮径変形させつつ挿入穴１０８に嵌め込む。該巻回部１０２は、この挿入穴１０８内において弾性的に元の太さに戻ろうとする復元力により該挿入穴１０８の内周面に密着し、該挿入穴１０８から不抜状態となる。次に、この巻回部１０２に引き続く部分をタイル１０６の上縁よりも上方に延在させた状態で該タイル１０６を壁面１１０に重ね合わせ、次いで、フック部１０４を介して壁面１１０にビス１１２を打ち込んで該フック部１０４を壁面１１０に留め付ける。これにより、図８（ｂ）に示す通り、タイル１０６は、この剥落防止具１００を介して壁面１１０に係止される。
【０００５】
なお、同号公報のタイル取付構造においては、タイル１０６は、壁面１１０に塗着されたモルタル１１４により該壁面１１０に固着される。
【０００６】
特開２００３−２５３８４８号公報には、前面にタイル引掛け部を有したタイル落下防止金具を壁面に取り付け、このタイル引掛け部にタイルを引掛けるようにしてタイルを壁面に係止した構造が記載されている。
【０００７】
同号公報のタイル取付構造においては、該タイル引掛け部は、タイル落下防止金具の前面から斜め上方に向って延出した突片状の部材であり、タイル裏面に設けられた、奥側ほど上方となる溝にこのタイル引掛け部を挿入することにより、タイルをタイル落下防止金具に係止する。
【特許文献１】特開平９−１２５６４７号公報
【特許文献２】特開２００３−２５３８４８号公報
【発明の開示】
【発明が解決しようとする課題】
【０００８】
上記特開平９−１２５６４７号公報のタイル取付構造にあっては、剥落防止具１００の巻回部１０２はコイルばね状となっているので、この巻回部１０２をわずかに縮径変形させるのにも比較的大きな力が要る。また、タイルは焼き物であるため、製品ごとに比較的寸法誤差が生じ易いが、この寸法誤差のために巻回部挿入穴１０８の内径が設計値よりも小さくなると、巻回部１０２を縮径変形させてこの挿入穴１０８に嵌め込むのが困難になる。
【０００９】
一方、この巻回部１０２は、挿入穴１０８の内径の設計値よりもわずかに大きい太さとされているため、挿入穴１０８が寸法誤差により該設計値よりも大きくなると、該挿入穴１０８内における巻回部１０２の縮径方向の変形量が著しく小さくなり、その復元力による挿入穴１０４の内周面への喰い付きが弱くなるため、巻回部１０２が挿入穴１０８から抜け易くなる。
【００１０】
なお、挿入穴１０４を後加工により穿設する場合、その寸法誤差は比較的小さいものとなるが、加工コスト及び手間がかかる。
【００１１】
上記特開２００３−２５３８４８号公報のタイル取付構造にあっては、タイルをタイル落下防止金具のタイル引掛け部に引掛けて壁面に係止するので、簡単にタイルを壁面に係止することができるが、接着剤でタイルをタイル落下防止金具に接着しておかないと、作業中に手や工具等がタイルに当っただけでタイルがタイル引掛け部から脱落し易い。
【００１２】
本発明は、タイルへの取付作業が容易であると共に、タイルが脱落しにくいタイル落下防止金具と、このタイル落下防止金具を介してタイルを壁面に取り付けた構造とを提供することを目的とする。
【課題を解決するための手段】
【００１３】
本発明（請求項１）のタイル落下防止金具は、タイルの壁面からの落下を防止するためのタイル落下防止金具において、タイル裏面に配置される裏面配置部と、該裏面配置部から、タイル上縁よりも上方に延出する上方延出部と、該上方延出部に設けられた留め付け部（例えば開口又は切欠部）と、該裏面配置部に設けられており、タイル裏面に設けられた凹部に対し不抜に係合する不抜係合部と、を備えてなるものである。
【００１４】
本発明の一態様においては、裏面配置部は上下方向に延在する帯状であり、該裏面配置部の側縁から前方に向って前記不抜係合部が立設されている（請求項２）。
【００１５】
この場合、タイル裏面の前記凹部はアリ溝であり、前記不抜係合部は、上辺が前方に向って上り勾配となっており、下辺が前方に向って下り勾配となっていることが好ましい（請求項３）。
【００１６】
また、この場合、不抜係合部は、該裏面配置部の左右の側縁からそれぞれ前方に向って立設されていることが好ましい（請求項４）。
【００１７】
本発明のタイル落下防止金具においては、裏面配置部は前記上方延出部よりも前方に位置していることが好ましい（請求項５）。
【００１８】
この場合、裏面配置部の下部から後方に向って突部が設けられていることが好ましい（請求項６）。
【００１９】
本発明のタイル落下防止金具においては、裏面配置部は該不抜係合部よりも下方にまで延在していてもよい（請求項７）。
【００２０】
本発明（請求項８）のタイル取付構造は、かかる請求項１ないし６のいずれか１項に記載のタイル落下防止金具を介してタイルが壁面に取り付けられたものである。
【００２１】
本発明のタイル取付構造においては、タイルが接着剤を介して壁面に接着されていることが好ましい（請求項９）。
【発明の効果】
【００２２】
本発明のタイル落下防止金具によってタイルを壁面に取り付けるに当っては、上方延出部がタイルの上縁よりも上方に延出するように裏面配置部をタイル裏面に配置すると共に、該裏面配置部に設けられた不抜係合部をタイル裏面の凹部に係合させる。そして、このタイル落下防止金具付きタイルを壁面に配置し、該上方延出部に設けられた留め付け部を介して壁面に、釘、各種金具等により該上方延出部を壁面に固定する。これにより、該タイル落下防止金具を介してタイルが壁面に取り付けられる。
【００２３】
かかる本発明のタイル落下防止金具にあっては、不抜係合部がタイル裏面の凹部に不抜に係合するので、作業途中に例えば作業者の手や工具等がタイルに当った場合でも、タイルがタイル落下防止金具から脱落することが確実に防止される。
【００２４】
また、本発明のタイル落下防止金具にあっては、該タイル落下防止金具をタイルに装着した状態において、上方延出部がタイルの上縁よりも上方に延出し、留め付け部が該タイルの上縁よりも上方に露出するので、タイルにタイル落下防止金具を取り付けてからでも、容易に、該留め付け部を介して上方延出部を壁面にビス留めすることができる。また、このようにタイルにタイル落下防止金具を取り付けてからタイルを所期の位置に配置して該上方延出部を壁面にビス留めすることにより、タイルを正確に所期の位置に取り付けることができる。しかも、これにより、タイル落下防止金具の壁面への取り付けとタイルの壁面への取り付けとを同一の作業で行うことができるので、作業効率がよい。
【００２５】
なお、上方延出部に留め付け部として切欠部が設けられている場合には、予め壁面の所定位置にビスを途中まで打ち込んでおき、後からこのビス（又は釘）に該切欠部を引掛けるようにしてタイル落下防止金具を該ビス（又は釘）に係止することができる。この場合、タイル落下防止金具とビス（又は釘）との双方を支えながらビス（又は釘）打ち作業を行う必要がないため、一人ででも十分に作業を行うことが可能であり、一層、作業効率が高いものとなる。
【００２６】
本発明においては、裏面配置部は上下方向に延在する帯状であり、該裏面配置部の側縁から前方に向って前記不抜係合部が立設されている構成とすることにより、タイル落下防止金具の構成を簡易なものとすることができる。また、このように構成した場合には、例えば、雨水等がタイル裏面に浸入した場合でも、この水が不抜係合部の上面に溜まることなく、裏面配置部に沿って流れ落ちるため、この水により金具やタイル等が腐食したりすることが防止される。
【００２７】
この場合、タイル裏面の前記凹部はアリ溝であり、前記不抜係合部は、上辺が前方に向って上り勾配となっており、下辺が前方に向って下り勾配となっている構成とすることにより、この不抜係合部をアリ溝に係合させた場合に、該不抜係合部の上辺がアリ溝の上側の側面に引掛かると共に、下辺がアリ溝の下側の側辺に引掛かり、不抜係合部のアリ溝からの抜け出しが確実に阻止されるようになる。
【００２８】
この場合、不抜係合部を裏面配置部の左右の側辺からそれぞれ前方に向って立設した場合には、タイルが２個の不抜係合部によって支持されるようになるため、タイルのグラつきを防止ないし抑制することができる。
【００２９】
本発明のタイル落下防止金具においては、裏面配置部は前記上方延出部よりも前方に位置していることが好ましい。このように構成した場合には、タイル落下防止金具を介してタイルを壁面に取り付けた場合に、裏面配置部が壁面から離隔し、該タイルと壁面との間に空隙が形成される。これにより、壁面の不陸や、上方延出部を壁面に固定したビスの頭部の該上方延出部の前面からの突出等が吸収されると共に、タイルの裏側の通気性や、タイル張り用の接着剤を塗布するためのスペースを十分に確保することができる。
【００３０】
この場合、裏面配置部の下部から後方に向って突部を設けることにより、タイルの重さ等によって裏面配置部の下部が壁面に過度に接近してタイルが傾くことなどが防止される。
【００３１】
裏面配置部を不抜係合部よりも下方にまで延在させることにより、タイルが前傾方向に傾くことが防止される。
【００３２】
本発明においては、このタイル落下防止金具を介してタイルを壁面に係止すると共に、接着剤によってタイルを壁面に接着するようにしてもよい。このようにすることにより、タイルを強固に壁面に取り付けることができる。
【発明を実施するための最良の形態】
【００３３】
以下、図面を参照して本発明の実施の形態について説明する。図１（ａ）は本発明の実施の形態に係るタイル落下防止金具の斜視図、図１（ｂ）はこのタイル落下防止金具を用いたタイル取付構造を示す縦断面図、図２はタイルにタイル落下防止金具を取り付けた状態を示すタイルの裏側の平面図である。なお、図１（ｂ）は、図２のＩ−Ｉ線に沿う断面にて図示されている。
【００３４】
図１（ａ），（ｂ）に示すように、このタイル落下防止金具１０は、タイル１の裏面に配置される裏面配置部１２と、該裏面配置部１２から上方に向って延出した上方延出部１４と、該上方延出部１４の上端側に設けられた留め付け部としてのビス挿通孔１６と、該裏面配置部１２から前方に向って突設されており、タイル１の裏面に形成された凹部としてのアリ溝２に対して不抜に係合可能な左右１対の不抜係合部１８，１８とを有している。
【００３５】
図２に示す通り、該上方延出部１４は、各不抜係合部１８がアリ溝に係合するように裏面配置部１２がタイル１の裏面に配置されたときに、該タイル１の上縁よりも上方にまで延在するようになっている。また、このとき、ビス挿通孔１６も、タイル１の上縁よりも上方に位置する。該ビス挿通孔１６は、この実施の形態では、上下方向に延在した長穴状のものである。
【００３６】
この実施の形態では、該裏面配置部１２は、上下方向に延在する帯状となっており、その左右の側縁からそれぞれ前方に向って不抜係合部１８が立設されている。各不抜係合部１８は、該裏面配置部１２の側縁に沿って上下方向に延在している。この不抜係合部１８の上辺は前方に向って上り勾配となっており、下辺は前方に向って下り勾配となっている。
【００３７】
図１（ｂ）に示すように、この実施の形態では、該裏面配置部１２は、上方延出部１４よりも前方（壁面４から離隔する側）に位置している。符号２０は、これらの裏面配置部１２と上方延出部１４との境界部に位置する段差部を示している。
【００３８】
このタイル落下防止金具１０は、金属板を曲げ加工することにより製作されたものであり、該裏面配置部１２、段差部２０及び上方延出部１４は、細長い帯状の金属板をクランク状に折り曲げることにより一連一体に形成されている。また、各不抜係合部１８は、該裏面配置部１２の左右の側縁からそれぞれ側方に張り出した台形状の張出片を、該裏面配置部１２の側縁に沿って前方に折り曲げることにより形成されている。
【００３９】
なお、該段差部２０の大きさ（上方延出部１４が壁面４にビス留めされた場合において、裏面配置部１２の前面が壁面４から離隔する距離）は、例えば５ｍｍ程度が好ましい。
【００４０】
図２に示すように、タイル１の裏面の凹部としてのアリ溝２は、左右方向に延設されている。このアリ溝２の左右の端部は、それぞれ、タイル１の左右の側端面に開放しており、このアリ溝２の左右の端部から該アリ溝２内にタイル落下防止金具１０の不抜係合部１８が係合する。図１（ｂ）の通り、このアリ溝２の上側の溝側面と下側の溝側面とはそれぞれ奥広がり状に傾斜している。このため、アリ溝２内に係合した不抜係合部１８は、その上辺が該上側の溝側面に引掛かり、下辺が下側の溝側面に引掛かることにより、該アリ溝２内から壁面４側へは抜け出し不能となる。ただし、該不抜係合部１８がこのアリ溝２に沿って左右方向へ移動することは許容される。
【００４１】
次に、このように構成されたタイル落下防止金具１０を用いてタイル１を壁面４に取付施工する手順について説明する。
【００４２】
まず、タイル落下防止金具１０の不抜係合部１８をアリ溝２の一端側から該アリ溝２内に係合させつつ、裏面配置部１２をタイル１の裏面に配置する。なお、図２に示す通り、この実施の形態では、１枚のタイル１の対し２個のタイル落下防止金具１０が装着される。このうち、一方のタイル落下防止金具１０はタイル１の左半側に配置し、他方のタイル落下防止金具１０はタイル１の右半側に配置する。この際、該一方のタイル落下防止金具１０は、タイル１の左端から、該タイル１の左右方向の全長の４分の１程度中央側に寄った位置に配置され、他方のタイル落下防止金具１０は、タイル１の右端から、該タイル１の左右方向の全長の４分の１程度中央側に寄った位置に配置されるのが好ましい。
【００４３】
次に、このタイル１の裏面に、弾性接着剤６を例えばビート状に、例えば厚さ１０ｍｍ程度となるように複数箇所に付着させ、このタイル１を壁面４に重ね合わせる。そして、各タイル落下防止金具１０の上方延出部１４が壁面４に重なり合うまでタイル１を壁面に押し付ける。このようにすると、タイル１の裏面に付着された弾性接着剤６が押しつぶされてタイル１の裏面と壁面４との間に広がる。また、このタイル１の裏面と壁面４との間には、段差部２０の大きさ分（５ｍｍ程度）の間隙が形成される。
【００４４】
次いで、上方延出部１４のビス挿通孔１６を介して壁面４にビス８を螺じ込んで各タイル落下防止金具１０を壁面４に固定する。これにより、各タイル落下防止金具１０を介してタイル１が壁面４に係止される。
【００４５】
このようにして最下段のタイル１を壁面４に取り付けた後、その上方に、同様の手順により２段目以降のタイル１を順次に取り付ける。なお、この際、上段側のタイル１は、下段側のタイル１の上縁よりも上方に延出した上方延出部１４の前方に重なるように配置される。その後、必要に応じて各タイル１間の目地に目地材（図示略）を充填することにより、美麗なタイル張り壁が構築される。
【００４６】
このタイル落下防止金具１０にあっては、不抜係合部１８がタイル１の裏面のアリ溝２に不抜に係合するので、タイル取付作業途中時及び接着剤硬化途中時にタイル１がタイル落下防止金具１０から脱落することが防止される。
【００４７】
また、このタイル落下防止金具１０にあっては、該タイル落下防止金具１０をタイル１に装着した状態において上方延出部１４がタイル１の上縁よりも上方に延出し、ビス挿通孔１６が該タイル１の上縁よりも上方に露出するので、タイル１にタイル落下防止金具１０を取り付けてからでも、容易に、ビス挿通孔１６を介して上方延出部１４を壁面４にビス留めすることができる。また、このようにタイル１にタイル落下防止金具１０を取り付けてからタイル１を所期の位置に配置して該上方延出部１４を壁面４にビス留めすることにより、タイル１を正確に所期の位置に取り付けることができる。しかも、これにより、タイル落下防止金具１０の壁面４への取り付けとタイル１の壁面４への取り付けとを同一の作業で行うことができるので、作業効率がよい。
【００４８】
この実施の形態では、各不抜係合部１８は裏面配置部１２の左右の側辺に沿って上下方向に延設されているため、例えばタイル１の裏側に雨水等が浸入した場合でも、水が該不抜係合部１８の上側に溜まることなく、裏面配置部１２に沿って流れ落ちるようになる。
【００４９】
この実施の形態では、裏面配置部１２は段差部２０を介して上方延出部１４よりも前方に配置されているので、タイル落下防止金具１０を介してタイル１を壁面４に取り付けた場合には、該裏面配置部１２が壁面４から離隔し、該タイル１と壁面４との間に空隙が形成される。このため、壁面４の不陸や、上方延出部１４を壁面４に固定したビス８の頭部の該上方延出部１４の前面からの突出等が吸収されると共に、タイル１の裏側の通気性や、タイル張り用の弾性接着剤６を塗布するためのスペースを十分に確保することができる。
【００５０】
この実施の形態では、裏面配置部１２が不抜係合部１８よりも下方に延在しており、該裏面配置部１２の下部がタイル１の下部を受け止める。このため、タイル１の前傾方向への傾きが防止される。また、裏面配置部１２の不抜係合部１８よりも上側部分がタイル１の上部を受け止めることにより、タイル１の後傾も防止される。
【００５１】
図３（ａ）は別の実施の形態に係るタイル落下防止金具１０Ａの斜視図であり、図３（ｂ）はこのタイル落下防止金具１０Ａを用いたタイル取付構造を示す縦断面図である。
【００５２】
このタイル落下防止金具１０Ａにおいては、裏面配置部１２の下端部から後方（壁面に接近する方向）に向って突部２２が突設されている。この実施の形態でも、該タイル落下防止金具１０Ａは金属板を曲げ加工してなるものであり、該突部２２は、帯状の裏面配置部１２の下端部を後方に向って直角に折り曲げるようにして形成されている。この突部２２の裏面配置部１２からの後方への突出長さは、図３（ｂ）に示すように、該裏面配置部１２と上方延出部１４との段差部２０の大きさ（上方延出部１４が壁面４にビス留めされたときに裏面配置部１４が壁面４から離隔する距離）と略等しい大きさとなっている。
【００５３】
このタイル落下防止金具１０Ａ及びこのタイル落下防止金具１０Ａを用いたタイル取付構造のその他の構成は前述の図１，２のタイル落下防止金具１０と同様となっており、図３（ａ），（ｂ）において、図１，２と同一の符号は同一の部分を示している。
【００５４】
この実施の形態でも、裏面配置部１２は段差部２０を介して上方延出部１４よりも前方に配置されているので、タイル落下防止金具１０Ａを介してタイル１を壁面４に取り付けた場合には、該裏面配置部１２が壁面４から離隔し、該タイル１と壁面４との間に空隙が形成される。このため、壁面４の不陸や、上方延出部１４を壁面４に固定したビス８の頭部の該上方延出部１４の前面からの突出等が吸収されると共に、タイル１の裏側の通気性や、タイル張り用の弾性接着剤６を塗布するためのスペースを十分に確保することができる。
【００５５】
このタイル落下防止金具１０Ａにあっては、裏面配置部１２の下端部から、裏面配置部１２と上方延出部１４との段差部２０の大きさと略等しい大きさの突部２２が後方に向って突設されているため、上方延出部１４を壁面４にビス留めした場合には、この突部２２が壁面４に当接して裏面配置部１２の下端部を支承する。これにより、このタイル落下防止金具１０Ａを介してタイル１を壁面４に取り付けた場合に、タイル１の重さによって裏面配置部１２の下端部が壁面４に接近するように撓むことが防止され、タイル１を、壁面４の出入り方向に傾くことなく取り付けることができる。
【００５６】
図４はさらに別の実施の形態に係るタイル落下防止金具１０Ｂの斜視図である。
【００５７】
このタイル落下防止金具１０Ｂにおいては、上方延出部１４に、上下方向に延在する長穴状のビス挿通孔１６Ａが設けられていると共に、該上方延出部１４の一方の側縁部には、このビス挿通孔１６Ａの下端部に連通する切欠部１６ａが設けられている。この切欠部１６ａは、ビス８が上方延出部１４の側方から該切欠部１６ａを介してビス挿通孔１６Ａに進入することを許容するよう構成されている。
【００５８】
このタイル落下防止金具１０Ｂのその他の構成は前述の図３のタイル落下防止金具１０Ａと同様となっている。
【００５９】
このタイル落下防止金具１０Ｂにあっては、切欠部１６ａを介して上方延出部１４の側方からビス挿通孔１６Ａにビス８を進入させることができるので、このタイル落下防止金具１０Ｂをタイル１に装着し、このタイル落下防止金具１０Ｂを介してタイル１を壁面４に取り付けるに際し、予め所定位置にビス８を途中まで打ち込んでおき、次いで、このビス８に上方延出部１４を引掛けるようにしてタイル落下防止金具１０Ｂを該ビス８に係止することができる。
【００６０】
この場合、タイル落下防止金具１０Ｂとビス８との双方を支えながらビス打ち作業を行う必要がないため、一人ででも十分に作業を行うことが可能であり、一層、作業効率が高いものとなる。
【００６１】
本発明において、不抜係合部の構成は、前述の図１〜４の各実施の形態の構成に限定されるものではない。また、この不抜係合部が係合するタイルの裏面の凹部はアリ溝に限定されるものではない。以下に、図５〜８を参照して不抜係合部の他の構成について説明する。図５，図６（ａ）及び図７（ａ）は、それぞれ、異なる実施の形態に係るタイル落下防止金具１０Ｃ，１０Ｄ，１０Ｅの斜視図である。また、図６（ｂ）は図６（ａ）のタイル落下防止金具１０Ｄを用いたタイル取付構造を示す縦断面図であり、図７（ｂ）は図７（ａ）のタイル落下防止金具１０Ｅを用いたタイル取付構造を示す縦断面図である。図８は、図７（ｂ）のタイル取付構造におけるタイルとタイル落下防止金具１０Ｅとの分解図である。なお、図５〜８の各図において、図１〜４と同一符号は同一部分を示している。
【００６２】
図５のタイル落下防止金具１０Ｃは、図４のタイル落下防止金具１０Ｂにおいて、裏面配置部１２の左右の側縁から前方に立設された各不抜係合部１８の上下方向の中間部分を切り欠いた如き形状の不抜係合部１８Ａを備えている。即ち、このタイル落下防止金具１０Ｃにおいては、該不抜係合部１８Ａは、タイル１（図示略。図１〜３参照。）の裏面に形成されたアリ溝２の上側の溝側面に係合する上側係合片１８ａと、該上側係合片１８ａよりも下位に配置された、アリ溝２の下側の溝側面に係合する下側係合片１８ｂの２片から構成されている。該上側係合片１８ａの上辺は前方に向って上り勾配となっており、下側係合片１８ｂの下辺は前方に向って下り勾配となっている。
【００６３】
このタイル落下防止金具１０Ｃを用いてタイル１を壁面４（図示略）に取り付けるに当り、各不抜係合部１８Ａをタイル１のアリ溝２に係合させるに際しては、各々の上側係合片１８ａと下側係合片１８ｂとの双方をアリ溝２内に差し入れ、該上側係合片１８ａの上辺をアリ溝２の上側溝側面に対面させると共に、下側係合片１８ｂの下辺をアリ溝２の下側溝側面に対面させる。これにより、該上側係合片１８ａ及び下側係合片１８ｂがそれぞれアリ溝２の上側及び下側の溝側面に引掛かり、不抜係合部１８Ａがアリ溝２から壁面４側へ抜け出すことが阻止される。
【００６４】
図６（ａ）のタイル落下防止金具１０Ｄにおいては、不抜係合部２４は、裏面配置部１２の前面から突設された上下１対の上側係合片２４ａ及び下側係合片２４ｂを備えている。該上側係合片２４ａは、裏面配置部１２の前面から前方且つ斜め上方に向って延出している。また、該下側係合片２４ｂは、裏面配置部１２の前面から前方且つ斜め下方に向って延出している。なお、この実施の形態では、これらの上側係合片２４ａ及び下側係合片２４ｂは、それぞれ、裏面配置部１２からの切り起こしによって形成されている。
【００６５】
このタイル落下防止金具１０Ｄを用いてタイル１を壁面４に取り付けるに当り、不抜係合部２４をタイル１のアリ溝２に係合させるに際しては、図６（ｂ）に示すように、この不抜係合部２４の上側係合片２４ａと下側係合片２４ｂとの双方をアリ溝２内に差し入れ、該上側係合片２４ａをアリ溝２の上側溝側面に対面させ、下側係合片２４ｂをアリ溝２の下側溝側面に対面させる。これにより、該上側係合片２４ａ及び下側係合片２４ｂがそれぞれアリ溝２の上側及び下側の溝側面に引掛かり、不抜係合部２４がアリ溝２から壁面４側へ抜け出すことが阻止される。
【００６６】
図７，８のタイル落下防止金具１０Ｅにおいては、不抜係合部２６は、裏面配置部１２の前面から前方に向って略水平に延出した板状の水平方向延出部２６ａと、該水平方向延出部２６ａの先端部に形成された膨大部２６ｂとを有している。該膨大部２６ｂは、図７（ａ）に示すように、水平方向延出部２６ａの厚みよりも大きな直径を有する略円柱形状となっており、その軸心線方向を左右方向として該水平方向延出部２６ａの先端部に連なっている。
【００６７】
このタイル落下防止金具１０Ｅによって壁面４に取り付けられるタイル１Ａの裏面には、該不抜係合部２６が係合する凹部としてスリット２Ａが設けられている。このスリット２Ａは、図８に示すように、該タイル１Ａの裏面から表側に向って水平に切り込まれた切込状の水平方向延在部２ａと、該水平方向延在部２ａの最奥部に形成された拡幅部２ｂとを有している。該拡幅部２ｂは、水平方向延在部２ａの幅（上下方向の幅）よりも大きな直径を有する円形断面のトンネル状となっており、その軸心線方向を左右方向として該水平方向延在部２ａの最奥部に連なっている。なお、この拡幅部２ｂの直径は、不抜係合部２６の膨大部２６ｂの直径よりも大きなものとなっている。また、水平方向延在部２ａの幅は、該不抜係合部２６の水平方向延出部２６ａの厚みよりも大きく且つ該膨大部２６ｂの直径よりも小さいものとなっている。
【００６８】
これらの水平方向延在部２ａ及び拡幅部２ｂの両端部は、タイル１Ａの左右の側面にそれぞれ開放している。
【００６９】
このタイル落下防止金具１０Ｅを用いてタイル１Ａを壁面４に取り付けるに当り、不抜係合部２６をスリット２Ａに係合させるに際しては、タイル１の側面から、該不抜係合部２６の膨大部２６ｂをスリット２Ａの拡幅部２ｂに係合させつつ、該不抜係合部２６の水平方向延出部２６ａをスリット２Ａの水平方向延在部２ａに差し込む。これにより、該膨大部２６ｂが水平方向延在部２ａの最奥部に引掛かり、該水平方向延出部２６ａが水平方向延在部２ａから壁面４側へ抜け出すことが阻止される。
【００７０】
なお、本発明のタイル落下防止金具及びタイル取付構造は、上記の各実施の形態に限定されるものではない。
【図面の簡単な説明】
【００７１】
【図１】実施の形態に係るタイル落下防止金具及びこのタイル落下防止金具を用いたタイル取付構造の構成を示す説明図である。
【図２】図１のタイル落下防止金具のタイルへの配置を示すタイル背面図である。
【図３】別の実施の形態に係るタイル落下防止金具及びこのタイル落下防止金具を用いたタイル取付構造の構成を示す説明図である。
【図４】さらに別の実施の形態に係るタイル落下防止金具の斜視図である。
【図５】異なる実施の形態に係るタイル落下防止金具の斜視図である。
【図６】他の実施の形態に係るタイル落下防止金具及びこのタイル落下防止金具を用いたタイル取付構造の構成を示す説明図である。
【図７】他の実施の形態に係るタイル落下防止金具及びこのタイル落下防止金具を用いたタイル取付構造の構成を示す説明図である。
【図８】図７のタイル取付構造の分解図である。
【図９】従来例に係るタイル落下防止金具及びこのタイル落下防止金具を用いたタイル取付構造の構成を示す説明図である。
【符号の説明】
【００７２】
１，１Ａ  タイル
２  アリ溝
２Ａ  スリット
２ａ  水平方向延在部
２ｂ  拡幅部
４  壁面
６  弾性接着剤
８  ビス
１０，１０Ａ，１０Ｂ，１０Ｃ，１０Ｄ，１０Ｅ  タイル落下防止金具
１２  裏面配置部
１４  上方延出部
１６，１６Ａ  ビス挿通孔
１６ａ  切欠部
１８  不抜係合部
１８Ａ  不抜係合部
１８ａ  上側係合片
１８ｂ  下側係合片
２０  段差部
２２  突部
２４  不抜係合部
２４ａ  上側係合片
２４ｂ  下側係合片
２６  不抜係合部
２６ａ  水平方向延出部
２６ｂ  膨大部
【図１】
2005139669.tif 000003
【図２】
2005139669.tif 000004
【図３】
2005139669.tif 000005
【図４】
2005139669.tif 000006
【図５】
2005139669.tif 000007
【図６】
2005139669.tif 000008
【図７】
2005139669.tif 000009
【図８】
2005139669.tif 000010
【図９】
2005139669.tif 000011